(57)【特許請求の範囲】
【請求項１】
浴槽（１）の側壁（２）を挟み込むための下向きコ字状の挟持部材（３）と、この挟持部材（３）に立設した上下方向に伸縮自在のつっかい棒部材（５）と、このつっかい棒部材（５）に設けた把持部材（６）とを含み、
つっかい棒部材（５）の上端部が、浴室（１０）の天井（１１）に押し付けられて受け止められることで、つっかい棒部材（５）が、挟持部材（３）を突っ張り固定しており、
つっかい棒部材（５）は、下端部が挟持部材（３）に固定される下側の径大パイプ（７）と、この径大パイプ（７）に対して上下スライド自在に嵌合する上側の径小パイプ（９）と、この径小パイプ（９）の上端に配されて浴室（１０）の天井（１１）に受け止められる天井受け部材（１２）と、この天井受け部材（１２）が浴室（１０）の天井（１１）に押し付けられた際の反発力を受け止めるばね手段（１５）とを備えており、
径大パイプ（７）と径小パイプ（９）との間に、径大パイプ（７）に対して径小パイプ（９）を上下動不能にロック保持するためのロック具（１３）を有しており、
挟持部材（３）は、径大パイプ（７）の下端部が固定される固定具（６０）と、この固定具（６０）に連結された可動具（６１）とを有していて、固定具（６０）と可動具（６１）とで浴槽（１）の側壁（２）を挟み込んでおり、
固定具（６０）は、浴槽（１）の側壁（２）の上側に位置する跨設部（６２）と、この跨設部（６２）から下方へ延びて浴槽（１）の側壁（２）の外面に臨む垂下部（６３）とを含み、 可動具（６１）は、浴槽（１）の側壁（２）の内面に臨むとともに、固定具（６０）側へ延びるガイド棒（６７）を有しており、
ガイド棒（６７）が、固定具（６０）の可動具（６１）に形成したガイド孔（６９）に挿入されることで、可動具（６１）が移動可能になっており、
長尺ボルト（７１）を、ガイド孔（６９）の奥壁に設けたボルト通孔（６９ａ）を介して、可動具（６１）のガイド棒（６７）に設けたねじ孔（７２）に締め込むことで、固定具（６０）と可動具（６１）とが連結され、かつ固定具（６０）と可動具（６１）とで浴槽（１）の側壁（２）が挟み込まれることを特徴とする浴槽用手摺り。
【請求項２】
可動具（６１）は、自在継手（７５）を介して揺動板（７６）を配しており、
固定具（６０）と可動具（６１）とで浴槽（１）の側壁（２）を挟み込んだ際には、揺動板（７６）が浴槽（１）の側壁（２）の内面に沿う姿勢で押し当たる請求項１記載の浴槽用手摺り。
【請求項３】
径小パイプ（９）の下端に空気弁機構を配してあり、
空気弁機構は、径小パイプ（９）の下端開口を塞ぐ弁座（８３）と、この弁座（８３）に設けた貫通孔（８５）に挿通する弁軸（８６）と、この弁軸（８６）を上方へ付勢するばね手段（８７）と、弁軸（８６）の下端に固定された弁体（８９）とを有しており、
径小パイプ（９）の下降の際には、ばね手段（８７）の付勢力で弁体（８９）が弁座（８３）の下面に密着しており、径小パイプ（９）の上昇の際には、ばね手段（８７）の付勢力に抗して弁体（８９）が押し下げられるようにした請求項２記載の浴槽用手摺り。
【発明の詳細な説明】
【技術分野】
【０００１】
本発明は、高齢者や身体障害者などが浴槽への出入りの際につかんで体を支えるための浴槽用手摺りに関する。
【背景技術】
【０００２】
特許文献１には、浴槽の側壁の上端部を内外から挟み込む下向きコ字状の挟持部材と、その挟持部材に立設した把持部とを含む浴槽用手摺りが開示されている。この浴槽用手摺りは、挟持部材で浴槽の側壁の上端部を挟み込んで固定したのち、高齢者などが把持部材をつかんで浴槽への出入りを行うことになる。この浴槽用手摺りでは、挟持部材による浴槽の側壁の挟み込みが不十分であると、把持部材をつかんだ際に横揺れして浴槽の側壁から外れるおそれがある。
【０００３】
これに対して、特許文献２・３には、浴室の天井と、浴槽の側壁の上面との間で上下方向に掛け渡されて固定される浴槽用手摺りが開示されている。この浴槽用手摺りでは、浴槽の側い壁の上面に、浴槽用手摺りの下端を着脱自在に嵌合固定する嵌合凹部を設けてあるとともに、浴室の天井には、浴槽用手摺りの上端をスライド移動可能に支持するレールを設けてある。
【０００４】
【特許文献１】特開２００５−９５４９２号公報（図１−４）
【特許文献２】特開平１０−２５８７４号公報（図１）
【特許文献３】特開平１０−８０４５２号公報（図４）
【発明の開示】
【発明が解決しようとする課題】
【０００５】
特許文献２・３の浴槽用手摺りは、浴槽への出入りの際につかんでも浴槽の側壁から外れることはないが、浴槽に前記嵌合凹部などを備えておく必要があるために、一般の浴槽をそのまま使用することができない。したがって、浴槽用手摺りを配する際に必要なコストが高くなるところに問題がある。
【０００６】
そこで本発明の目的は、一般の浴槽をそのまま使え、かつ着脱自在でありながら浴槽の側壁にしっかりと固定できる浴槽用手摺りを提供することにある。
【課題を解決するための手段】
【０００７】
本発明に係る浴槽用手摺りは、図１に示すごとく、浴槽１の側壁２を挟み込むための下向きコ字状の挟持部材３と、この挟持部材３に立設した上下方向に伸縮自在のつっかい棒部材５と、このつっかい棒部材５に設けた把持部材６とを含んでいる。つっかい棒部材５の上端部が、浴室１０の天井１１に押し付けられて受け止められることで、つっかい棒部材５が挟持部材３を突っ張り固定する。
【０００８】
詳しくは、つっかい棒部材５は、図１および図２に示すごとく、下端部が挟持部材３に固定される下側の径大パイプ７と、この径大パイプ７に対して上下スライド自在に嵌合する上側の径小パイプ９と、この径小パイプ９の上端に配されて浴室１０の天井１１に受け止められる天井受け部材１２と、この天井受け部材１２が浴室１０の天井１１に押し付けられた際の反発力を受け止めるばね手段１５とを備えている。径大パイプ７と径小パイプ９との間には、径大パイプ７に対して径小パイプ９を上下動不能にロック保持するためのロック具１３を有する。
【０００９】
挟持部材３は、図９に示すごとく、径大パイプ７の下端部が固定される固定具６０と、この固定具６０に対して浴槽１の内外方向にスライド移動可能な可動具６１とを有していて、固定具６０と可動具６１とで浴槽１の側壁２を挟み込んでいる。固定具６０は、浴槽１の側壁２の上側に位置する跨設部６２と、この跨設部６２から下方へ延びて浴槽１の側壁２の外面に臨む垂下部６３とを含む。可動具６１は、浴槽１の側壁２の内面に臨むとともに、固定具６０側へ延びるガイド棒６７を有しており、ガイド棒６７が、固定具６０の可動具６１に形成したガイド孔６９に挿入されることで、可動具６１が移動可能になっており、長尺ボルト７１を、ガイド孔６９の奥壁に設けたボルト通孔６９ａを介して、可動具６１のガイド棒６７に設けたねじ孔７２に締め込むことで固定具６０と可動具６１とが連結され、かつ固定具６０と可動具６１とで浴槽１の側壁２が挟み込まれる。
【００１０】
可動具６１は、自在継手７５を介して揺動板７６を配しており、固定具６０と可動具６１とで浴槽１の側壁２を挟み込んだ際には、揺動板７６が、浴槽１の側壁２の内面に沿う姿勢で押し当たる。
【００１１】
径小パイプ９の下端に空気弁機構を配してあり、空気弁機構は、図１４に示すごとく、径小パイプ９の下端開口を塞ぐ弁座８３と、この弁座８３に設けた貫通孔８５に挿通する弁軸８６と、この弁軸８６を上方へ付勢するばね手段８７と、弁軸８６の下端に固定された弁体８９とを有している。径小パイプ９の下降の際には、ばね手段８７の付勢力で弁体８９が弁座８３の下面に密着しており、径小パイプ９の上昇の際には、ばね手段８７の付勢力に抗して弁体８９が押し下げられるようにした。
【発明の効果】
【００１２】
本発明によれば、挟持部材３で浴槽１の側壁２を挟み込むことで、その側壁２に取り付けられるので、浴槽用手摺りを浴槽１に配するにあたって、一般の浴槽１を改造などしなくてもそのまま使用することができ、浴槽用手摺りを配する際に必要なコストを抑えることができる。しかも、つっかい棒部材５で挟持部材３を突っ張り固定するので、浴槽１への出入りを行うために把持部材６やつっかい棒部材５をつかんでも、挟持部材３が浴槽１の側壁２から外れることがない。つまり、浴槽用手摺りは、着脱自在でありながら浴槽１の側壁２にしっかりと固定できる。
【００１３】
長尺ボルト７１で固定具６０と可動具６１とを連結すると、長尺ボルト７１のヘッドは小さいために、長尺ボルト７１が浴槽１への出入りの邪魔になることが低減されるうえ、長尺ボルト７１はスパナなどの道具がなければ操作できないために、いたずらで長尺ボルト７１が緩められたりすることがない。
【００１４】
可動具６１の揺動板７６が揺動して、浴槽１の側壁２の内面に沿う姿勢で押し当たると、浴槽１の側壁２の内面が傾斜していても、挟持部材３が、固定具６０と可動具６１とで浴槽１の側壁２をより確りと挟み込むことができる。
【００１５】
径小パイプ９の下降の際に空気弁機構の弁体８９が弁座８３の下面に密着すると、径小パイプ９内と径大パイプ７内とを接続する貫通孔８５が閉じられて、径大パイプ７内の空気が径小パイプ９の下降に対するエアクッションとして作用し、径小パイプ９が急激に下降することが防止される。径小パイプ９の上昇の際には、その上昇に伴って径大パイプ７内の空気圧が低下して弁体８９が押し下げられるので、貫通孔８５が開いて、径小パイプ９内と径大パイプ７内との空気圧の差がほとんどなく、前記上昇に伴う径大パイプ７内の空気圧の低下によって径小パイプ９が下方へ引っ張られることが低減し、径小パイプ９を容易に上昇させることができる。
【発明を実施するための最良の形態】
【００１６】
図１ないし図１４は、本発明が対象とする浴槽用手摺りの実施例を示しており、図１に示すごとく、浴槽１の側壁２の上端部２ａを浴槽１の内外から挟み込むための下向きコ字状の挟持部材３と、この挟持部材３に立設した上下方向に伸縮自在のつっかい棒部材５と、このつっかい棒部材５の中間部に設けた把持部材６とを含む。
【００１７】
つっかい棒部材５は、下端部が挟持部材３に固定される下側の径大パイプ７と、この径大パイプ７に対して上下スライド自在に嵌合する上側の径小パイプ９と、この径小パイプ９の上端に配されて浴室１０の天井１１に受け止められる天井受け部材（上端部）１２とを備えている。径大パイプ７と径小パイプ９との間には、径大パイプ７に対して径小パイプ９を上下動不能にロック保持するためのロック具１３を有する。
【００１８】
径小パイプ９を径大パイプ７の上方に引き出して、天井受け部材１２を浴室１０の天井１１に押し付け、次いでロック具１３を操作すると、径小パイプ９が所定量だけ垂直姿勢を維持したまま押し上げられて天井１１に受け止められ、この状態でロック保持される。天井受け部材１２は、径小パイプ９に対して上下動自在に支持されていて、図２に示す圧縮コイルばね（ばね手段）１５で押し上げ付勢される。これにより、天井受け部材１２が天井１１に押し付けられた際の反発力を、圧縮コイルばね１５の弾性力が受け止める。
【００１９】
図２に示すごとく、径小パイプ９の上端には、圧縮コイルばね１５が納まるばね受け筒１６を内嵌して固定してある。ばね受け筒１６は、下端近くに圧縮コイルばね１５の下端を受け止める底壁１７を有しており、外周の下向き段面１９が径小パイプ９の上端開口周縁で受け止められて、下向き段面１９より下側部分が径小パイプ９の内部に嵌入する。ばね受け筒１６の下端部は、ビス１６ａ・１６ａで径小パイプ９に固定される。
【００２０】
天井受け部材１２は、円形状の上面に二つの凹み２０を有するベース部２１と、このベース部２１の下端に一体に垂設した円筒部２２とを有するプラスチック成形品であり、円筒部２２の内周面に密着して円筒状のばね受け座２３が配される。このばね受け座２３が径小パイプ９の上端部、および径小パイプ９より上側に突出するばね受け筒１６の上端部に上下スライド自在に外嵌する。
【００２１】
ばね受け座２３の上端には、圧縮コイルばね１５の上端を受け止める上壁２５を有しており、その上壁２５の上面に、２本のスタッドボルト２６が立直姿勢で固定されている。ばね受け座２３の上壁２５の下面中央には、圧縮コイルばね１５が外嵌するばね軸２７が垂下姿勢で固定されている。
【００２２】
天井受け部材１２のベース部２１には、各凹み２０の底面から下方へ向けてそれぞれ貫通する二つのボルト挿通孔を設けてある。各ボルト挿通孔に各スタッドボルト２６をそれぞれ通して、各ボルト２６の上端を各凹み２０内に突出させ、各ボルト２６の突出上端部にナット３０を上面側からそれぞれ螺合することにより、天井受け部材１２にばね受け座２３が固定される。
【００２３】
ばね軸２７の下端は、ばね受け筒１６の底壁１７に設けた通孔３１に挿通しており、該通孔３１の下方においてばね軸２７の下端に、ロックナットなどからなる止め部材３２を取り付ける。これにて、ばね軸２７は、ばね受け筒１６に対して上下動自在に組み込まれ、止め部材３２で上方への抜け止めが図られる。天井受け部材１２のベース部２１の上面には、シリコンゴムなどからなるクッション材３３を貼り付ける。
【００２４】
図３においてロック具１３は、径大パイプ７の上端に受け止め支持される縦長円筒状の固定リング３５と、径小パイプ９の外周に遊嵌して締結作用をする縦長円筒状の締結リング３６と、この締結リング３６に枢結されて径小パイプ９を上下方向に揺動操作できるハンドル３７と、固定リング３５とハンドル３７とを連結する左右一対のリンク３９と、締結リング３６の外周面を覆う縦長円筒状のカバー４０と、ハンドル３７の外周面を覆う合成ゴム製のハンドルカバー４１とを含む。カバー４０の下部は縮径していて、この下部が固定リング３５の上端部に嵌まり込んで保持される。
【００２５】
固定リング３５は、円筒壁の一個所に縦方向の割り４２を入れてあり、この割り４２に臨む開離端の外側に、左右一対のリンク連結片４５・４５を上下方向にわたって一体に設ける。固定リング３５の内周面の上端寄り部位には、図４に示すごとく、下向きの段面３５ａを周回状に設けてあり、固定リング３５を径大パイプ７の外周に上方から嵌合することで、前記下向き段面３５ａが、パッキン４３を介して径大パイプ７の上端開口周縁で受け止められる。
【００２６】
そのうえで、両リンク連結片４５・４５の上下をボルト４６・４６で締結することにより、径大パイプ７の上端に固定リング３５が固定される。径小パイプ９は、下端側から固定リング３５を介して径大パイプ７の内部へ上下スライド自在に嵌合できる。
【００２７】
締結リング３６は、図３に示すごとく、円筒壁の一個所に縦方向の割り４９を入れてあり、この割り４９に臨む締結リング３６の開離端の外側に、左右一対のハンドル連結片５０・５０を上下方向にわたって一体に設けてある。このハンドル連結片５０・５０は、自由状態において所定の間隔を置いて対向している。
【００２８】
ハンドル３７は、前後方向に長い主面壁の左右に側壁を有して下面が開口する下向きコ字状に形成されており、左右側壁の各基端部３７ａが、主面壁より締結リング３６側に突出している。ハンドル３７は、前記左右の各基端部３７ａがそれぞれハンドル連結片５０・５０にこれの外側面に接合する状態で、水平の枢軸５１を介して枢結されている。これにて、ハンドル３７は、締結リング３６に対して略水平姿勢（図４）と、下方に倒れた略垂直姿勢（図５）とにわたって、枢軸５１まわりに上下揺動自在に連結される。枢軸５１はボルトなどからなる。
【００２９】
左右の各リンク３９は、図３に示すごとく、一端がハンドル３７の基端寄りに固定軸５２を介して連結され、他端が固定リング３５のリンク連結片４５・４５に可動軸５３を介して上下動自在に連結されている。各リンク３９の一端および固定軸５２は、一対のビス５２ａ・５２ａでハンドル３７に連結される。可動軸５３は、一対のビス５３ａ・５３ａでリンク連結片４５・４５および各リンク３９の他端に連結されており、リンク連結片４５・４５に設けた縦長のガイド溝５５・５５に沿って上下移動する。締結リング３６の各ハンドル連結片５０の外側面と、これに対面するハンドル３７の左右側壁の各基端部３７ａの内側面との間には、締結リング３６の径を拡縮変形させるためのカム機構が設けられている。
【００３０】
カム機構は、図６に示すごとく、締結リング３６の各ハンドル連結片５０の上端寄り外側面に設けた受動側の固定カム面５０ａと、ハンドル３７の各基端部３７ａの内側に固定したカム部材５６の操作側の可動カム面５６ａとからなる。固定カム面５０ａは、凹面と凸面とこれら凹凸面どうしをつなぐ傾斜面とからなり、可動カム面５６ａは、前記固定カム面５０ａに対応する凸面と凹面とこれら凹凸面どうしをつなぐ傾斜面とからなる。固定リング３５の両リンク連結片４５・４５は、これの一方を肉厚に形成してあり、この肉厚側のリンク連結片４５にこれの下端面から前記ガイド溝５５に到るねじ孔を上下方向に刻設し、このねじ孔に下方からねじ込まれる調節ボルト５９を備えている。
【００３１】
ハンドル３７が略水平姿勢にあるときは、可動カム面５６ａの凸面が固定カム面５０ａの凹面に嵌り込み、可動カム面５６ａの凹面が固定カム面５０ａの凸面に嵌まり込んで、図７に示すごとく締結リング３６のハンドル連結片５０・５０間の間隔が大きくなっており、締結リング３６が拡径状態にある。したがって、径小パイプ９は、これの下端側を締結リング３６内に、次いで径大パイプ７内に上下移動が自由な状態で差し込むことができる。
【００３２】
ハンドル３７を枢軸５１まわりに下方へ揺動操作すると、可動カム面５６ａの凸面が、固定カム面５０ａの凹面から脱して傾斜面を介して凸面に乗り上がる。この両凸面どうしの接合により、図８に示すごとく締結リング３６のハンドル連結片５０・５０間の間隔が小さくなり、締結リング３６が縮径して径小パイプ９を上下方向へは移動不能に締結固定する。
【００３３】
このロック状態からハンドル３７は、なお略垂直姿勢になるまで回動操作可能である。すなわち、ハンドル３７が先の水平姿勢にあるとき、リンク３９の可動軸５３はガイド溝５５の上端に位置しており、この状態からハンドル３７を下降操作すると、可動軸５３がガイド溝５５の下方へ移動して行く。
【００３４】
ハンドル３７を下降操作する途中において、締結リング３６が径小パイプ９を上下動不能に締結固定し、その後の状態で可動軸５３がガイド溝５５の下端側において、前記調節ボルト５９の上端で受け止められる（図５参照）。そのうえでハンドル３７を更に下方へこれが垂直姿勢になるまで揺動操作すると、固定リング３５に対して締結リング３６が、径小パイプ９をロック保持したまま径小パイプ９ごと上方へ持ち上げられる。ハンドル３７とリンク３９とは、ハンドル３７の垂直姿勢を保持した状態で固定ビス４７によって締結される。
【００３５】
挟持部材３は、図９に示すごとく、径大パイプ７の下端部が固定される固定具６０と、この固定具６０に連結された可動具６１とを有するプラスチック成形品である。固定具６０は、図９および図１０に示すごとく、浴槽１の側壁２の上側に位置する跨設部６２と、この跨設部６２における浴槽１の外側端部から下方へ延びて浴槽１の側壁２の外面に臨む垂下部６３とを含む。跨設部６２には、径大パイプ７の下端部が筒状のパッキン７０を介して取り付けられる。垂下部６３において、浴槽１の側壁２に臨む内面側はカバー６５で覆われており、カバー６５の外側に、シリコンゴムなどからなるクッション材６６が貼り付けられる。カバー６５は、垂下部６３にビス６３ａ・６３ａで固定される。
【００３６】
可動具６１は、浴槽１の側壁２の内面に臨んでおり、その上端の左右両端から固定具６０側へ一対のガイド棒６７・６７が延びている。固定具６０の跨設部６２には、図１１に示すごとく、可動具６１側が開口する一対のガイド孔６９・６９を設けてあり、前記跨設部６２の端面側には、スペーサ７９を挟んでカバー８０が配される。
【００３７】
スペーサ７９およびカバー８０には、固定具６０の各ガイド孔６９に繋がってガイド孔６９と一体化した連通孔７９ａ・８０ａをそれぞれ設けてある。可動具６１の各ガイド棒６７は、カバー８０の各連通孔８０ａおよびスペーサ７９の各連通孔７９ａを介して固定具６０の各ガイド孔６９にそれぞれ挿入される。スペーサ７９において固定具６０側の端部は、固定具６０の跨設部６２の端面側に形成した凹部に嵌合し、カバー８０において固定具６０側の端部は、スペーサ７９に形成した凹部に嵌合する。
【００３８】
スペーサ７９の両連通孔７９ａ・７９ａの間、およびカバー８０の両連通孔８０ａ・８０ａの間には、ボルト８１が挿通する挿通孔７９ｂ・８０ｂをそれぞれ設けてあり、ボルト８１を、カバー８０の挿通孔８０ｂとスペーサ７９の挿通孔７９ｂとを通して、固定具６０の跨設部６２に設けたねじ孔６２ａに締め込むことで、カバー８０およびスペーサ７９が固定具６０に固定される。
【００３９】
固定具６０の各ガイド孔６９の奥壁には、ボルト通孔６９ａがそれぞれ設けられており、各ボルト通孔６９ａには、六角穴ボルトなどからなる長尺ボルト７１が挿通する。可動具６１の各ガイド棒６７には、固定具６０側の端面にねじ孔７２がそれぞれ形成されており、各長尺ボルト７１が、前記ボルト通孔６９ａを介して可動具６１のねじ孔７２に締め込まれることで、固定具６０と可動具６１とが連結され、かつ固定具６０と可動具６１とで浴槽１の側壁２が挟み込まれる。
【００４０】
可動具６１において浴槽１の側壁２の内面に臨む面は、図１０に示すごとく、カバー７３で覆われており、そのカバー７３よりも浴槽１の側壁２側には、十字軸の自在継手７５を介して上下左右に揺動自在な揺動板７６を配している。揺動板７６は、シリコンゴムなどからなるクッション材７７が貼り付けられており、そのクッション材７７を介して浴槽１の側壁２に押し当たる。
【００４１】
自在継手７５の横軸７５ａは、図１２および図１３に示すごとく、可動具６１に設けた一対の軸受け凹部６１ａ・６１ａに係合しており、自在継手７５の縦軸７５ｂは、揺動板７６に設けた一対の軸受け部７６ａ・７６ａに係合している。カバー７３の下側には、自在継手７５との干渉を防ぐために切り欠き７３ａが形成される。
【００４２】
長尺ボルト７１・７１をそれぞれ緩めて、固定具６０の垂下部６３と可動具６１の揺動板７６との間を広げた状態で、浴槽１の側壁２の上端部２ａに挟持部材３を跨がせたのち、長尺ボルト７１・７１をそれぞれ締め込むことで、浴槽１の側壁２が固定具６０と可動具６１とで挟み込まれて、挟持部材３が浴槽１の側壁２に取り付けられる（図１０の状態）。この際、可動具６１の揺動板７６が揺動して、浴槽１の側壁２の内面の傾斜に沿った姿勢で、その側壁２の傾斜面にクッション材７７を介して押し当たる。なお、浴槽１の側壁２の厚さが薄い場合には、スペーサ７９を除いた状態で固定具６０の跨設部６２にカバー８０がボルト８１で固定される。
【００４３】
径小パイプ９の下端には、空気弁機構が配される。空気弁機構は、図１４に示すごとく、径小パイプ９の下端開口を塞ぐ弁座８３と、この弁座８３の中央に設けた貫通孔８５に挿通する弁軸８６と、この弁軸８６の上面に配されて弁軸８６を上方へ付勢する圧縮コイルばね（ばね手段）８７と、弁軸８６の下端に固定された円板形状の弁体８９とを有する。弁体８９の上面には、円板形状の弾性板９０が配される。貫通孔８５の内径寸法は、弁軸８６の外径寸法より大きくなっている。
【００４４】
弁体８９は、圧縮コイルばね８７の付勢力で弾性板９０を介して弁座８３の下面に密着しており、貫通孔８５が閉じられている。これによって径小パイプ９を下降させる際には、径大パイプ７内の空気がクッションとなって径小パイプ９がゆっくりと下降する。径小パイプ９を上昇させる際には、径大パイプ７内の空気圧が減少して弁体８９が押し下げられ、貫通孔８５が開いて径小パイプ９が容易に上昇する。
【００４５】
把持部材６は、図１に示すごとく、つっかい棒部材５の径大パイプ７に取り付けられた上下一対のジョイント９１・９１と、このジョイント９１・９１に接続された上下縦長の手摺９２とを有する。各ジョイント９１は、同一形状の一対の半筒体で形成されており、径大パイプ７を左右の半筒体によって挟み込むことで径大パイプ７に固定される。手摺９２は、上下端部がそれぞれＬ字状に湾曲して、上下のジョイント９１・９１にそれぞれ接続される。径小パイプ９の上端部の外周には、周方向に赤色の帯９３が配されており、その赤色の帯９３の下側に黄色の帯９５が配されている。
【００４６】
次に、浴槽用手摺りの使用要領を説明すると、まず径小パイプ９を径大パイプ７内に下降させ、長尺ボルト７１・７１をそれぞれ緩めて固定具６０の垂下部６３と可動具６１の揺動板７６との間を広げておく。この状態で、浴槽１の側壁２において浴槽用手摺りを配すべき位置で、挟持部材３を浴槽１の側壁２の上端部２ａに跨がせたのち、長尺ボルト７１・７１をそれぞれ締め込んで、固定具６０と可動具６１とによって浴槽１の側壁２を挟み込む。
【００４７】
次いで、ハンドル３７を水平姿勢にして、径小パイプ９を上方に引き上げる。この径小パイプ９の引き上げに際しては、天井受け部材１２で赤色の帯９３がほぼ隠れるように天井受け部材１２を天井１１に当て付ける。この状態でハンドル３７を水平姿勢から下方に揺動操作すると、前記カム機構で締結リング３６が縮径して径小パイプ９を締め付け固定し、更にハンドル３７をこれが垂直姿勢になるよう揺動操作して行くと、締結リング３６ごと径小パイプ９が押し上げられる。このとき、黄色の帯９５のみが天井受け部材１２の下側に露出する。
【００４８】
これで天井受け部材１２が天井１１に強く押し付けられ、つっかい棒部材５が挟持部材３を浴槽１の側壁２の上面側に押し付けて確りと突っ張り固定する。これにより、浴槽１への出入りの際に、手摺９２をつかんで横方向に強く引っ張ったり押したりしても、挟持部材３が浴槽１の側壁２から外れることはない。なお、つっかい棒部材５の圧縮コイルばね１５は、天井受け部材１２が天井１１に過剰に押し付けられるのを防止するように作用する。
【図面の簡単な説明】
【００４９】
【図１】浴槽用手摺りの平面図
【図２】天井受け部材の縦断側面図
【図３】ロック具の分解斜視図
【図４】ハンドルを水平姿勢にした状態のロック具の縦断側面図
【図５】ハンドルを垂直姿勢にした状態のロック具の縦断側面図
【図６】図５のＡ−Ａ線断面図
【図７】図４のＢ−Ｂ線断面図
【図８】図５のＣ−Ｃ線断面図
【図９】挟持部材の分解斜視図
【図１０】挟持部材の縦断側面図
【図１１】図１０のＤ−Ｄ線断面図
【図１２】可動具の分解斜視図
【図１３】可動具の要部を示す横断平面図
【図１４】空気弁機構の縦断側面図
【符号の説明】
【００５０】
１  浴槽
２  側壁
３  挟持部材
５  つっかい棒部材
６  把持部材
７  径大パイプ
９  径小パイプ
１０  浴室
１１  天井
１２  天井受け部材
１３  ロック具
１５  圧縮コイルばね
６０  固定具
６１  可動具
６２  跨設部
６３  垂下部
６７  ガイド棒
６９  ガイド孔
６９ａ  ボルト通孔
７１  長尺ボルト
７２  ねじ孔
７５  自在継手
７６  揺動板
８３  弁座
８５  貫通孔
８６  弁軸
８７  圧縮コイルばね
８９  弁体
【図１】
0004475590.tif 000002
【図２】
0004475590.tif 000003
【図３】
0004475590.tif 000004
【図４】
0004475590.tif 000005
【図５】
0004475590.tif 000006
【図６】
0004475590.tif 000007
【図７】
0004475590.tif 000008
【図８】
0004475590.tif 000009
【図９】
0004475590.tif 000010
【図１０】
0004475590.tif 000011
【図１１】
0004475590.tif 000012
【図１２】
0004475590.tif 000013
【図１３】
0004475590.tif 000014
【図１４】
0004475590.tif 000015